(57)【特許請求の範囲】
【請求項１】
壁面板の後面側に給水管、排水管等の所定の配管設備を有し、壁面板の前面側から所定の取付構造体を介して小便器を設置してなる小便器ユニットであって、前記小便器と取付構造体には、夫々相対応する部位に一対の凹凸関係で構成される装着用の係合手段が設けられると共に、前記小便器には、その背面側下部に排水口が斜め下方に向けて設けられる一方、前記取付構造体には、前記排水管への排水口受部を、前記小便器を前記係合手段で係合せしめた傾斜姿勢から起立姿勢に姿勢変姿することで、前記排水口が傾斜状に対面嵌装されるよう斜め上方に向けて設けてあることを特徴とする小便器ユニット。
【請求項２】
請求項１において、前記排水口と排水口受部とは、排水口または排水口受部の周面に予め水密手段を設けることで、前記対面嵌装に追随して排水口と排水口受部との水密接合が完了すべく構成してあることを特徴とする小便器ユニット。
【請求項３】
請求項１または２において、前記係合手段は、前記排水口と排水口受部よりも下部側に設けられていることを特徴とする小便器ユニット。
【請求項４】
請求項１乃至３の何れかにおいて、前記係合手段は、前記小便器を取付構造体で支持するに、小便器の傾斜姿勢では線状に係合し、起立姿勢では面状に係合して支持すべく構成されていることを特徴とする小便器ユニット。
【請求項５】
請求項１乃至４の何れかにおいて、前記取付構造体を、壁面板と上面板、およびこれらを取付する複数の縦フレームと上フレームによって断面逆Ｌ字状に形成させて前記配管設備を収納する配管ケースに構成すると共に、前記縦フレーム間に横フレームを架設し、該横フレームに、前記排水口受部が挿入される受部装着孔と該受部装着孔を挟んで前記係合手段の一方を構成する２つの支持片とを設け、横フレームを、斜め上方に向けて前記支持片よりも後方に設けてあることを特徴とする小便器ユニット。
【請求項６】
壁面板の後面側に給水管、排水管等の所定の配管設備を有し、壁面板の前面側から所定の取付構造体を介して小便器を設置してなる小便器ユニットであって、前記小便器の背面側下部には排水口と前記取付構造体に対する支持脚部が設けられていると共に、前記取付構造体を、壁面板と上面板、およびこれらを取付する複数の縦フレームと上フレームとによって前記配管設備を収納する配管ケースに構成し、前記縦フレーム間の前記排水口の対向部位に横フレームを架設せしめ、該横フレームに、前記排水管への排水口受部が挿入される受部装着孔と、前記支持脚部を介して小便器を装着支持する支持片とを設けたことを特徴とする小便器ユニット。
【請求項７】
請求項６において、前記排水口を斜め下方に向けて設ける一方、前記受部装着孔を、挿着された前記排水口受部が斜め上方に向くように設けて、前記排水口受部と前記排水口とを、前記支持脚部を前記支持片に係合せしめた傾斜姿勢から起立姿勢に姿勢変姿することで嵌装すべく構成したことを特徴とする小便器ユニット。
【請求項８】
請求項６または７において、前記支持脚部を前記支持片で支持するに、小便器の傾斜姿勢では線状に係合し、起立姿勢では面状に係合して支持すべく構成されていることを特徴とする小便器ユニット。
【請求項９】
請求項６乃至８の何れかにおいて、前記支持脚部と前記支持片とは、前記受部装着孔の両側域で支持されていることを特徴とする小便器ユニット。
【請求項１０】
請求項１乃至９の何れかにおいて、前記排水口受部は、前記排水管に直接的に取り付けられるゴム質材にて形成されたジョイント管に設けられいることを特徴とする小便器ユニット。
【請求項１１】
並設された複数の小便器の背面側に所定の下り勾配をもって床面上に設置され、それぞれの小便器の排水口と対応する位置でジョイント管を介して排水可能に連結される排水管であって、該排水管を、楕円形または卵形等の縦長形状に形成してその広幅面域が前記排水口側を向くよう立設せしめ、前記ジョイント管の先端側に前記排水口の排水受部を設けると共に、該ジョイント管を、前記水平に並ぶ各排水口と前記排水管勾配との離間変位に対応すべく揺動可能に構成し、前記排水管の上側周面に対して斜め上方に向けて設けたことを特徴とする小便器の排水管構造。
【請求項１２】
請求項１１において、前記ジョイント管は、ゴム質材にて形成されていることを特徴とする小便器の排水管構造。
【発明の詳細な説明】
【０００１】
【発明の属する技術分野】
本発明は、給水管、排水管等の所定の配管設備を有した配管ケースに小便器を取付けしてなる小便器ユニットの技術分野に属し、特にオフィスビル、ホテル等の共同トイレ、公園、駅などの公衆トイレに好適な小便器ユニットおよびそこに使用される小便器の排水管構造に関するものである。
【０００２】
【従来の技術】
一般に、ビル、公共などのトイレには複数の小便器が並設されており、これら小便器は、躯体の床張り、壁張り施工後に、給水管、排水管などの所定の配管設備が収納される配管ケース（配管ユニット）と共にユニット化されて取り付けられる構造となっている。そして、小便器を配管ケースに取付けする際には、小便器の排水口を、前記排水管に連結されるフランジや排水トラップなどに形成された排水口受部に嵌装するジョイント作業が必要となる。
ところで、従来の小便器の排水口と排水口受部とのジョイント構造は、図６（Ａ）に示すように、小便器１Ａを、予め外装仕上げされた配管ケース２Ａの外壁板２１Ａに対して、その上部にハンガ金物３Ａを取付けし、これに小便器１Ａの上部を引っ掛けて吊持させ、傾斜姿勢から起立姿勢に姿勢変姿して小便器背部を面当てすることで、外壁板２１Ａに設けられた排水フランジ４Ａに形成された排水口受部４１Ａと、小便器の排水口１１Ａとを垂直対面させて嵌装する所謂壁掛け式小便器の垂直ジョイント構造のものが知られている。
また、図６（Ｂ）に示す特開平５−２２２７５８号公報に開示されたように、小便器１Ｂを、配管ケース２Ｂの外壁板２１Ｂに形成された開口下部２２Ｂで、小便器１Ｂ下部の係止部１３Ｂを傾斜姿勢で支持させ、起立姿勢に変姿することで、小便器背部１２Ｂを配管ケース内に埋め込ませて、配管ケース２Ｂの内部に設けられた排水トラップ（排水フランジ）４Ｂの排水口受部４１Ｂと、小便器の排水口１１Ｂとを水平対面させて嵌装する所謂埋め込み式小便器の水平ジョイント構造のものが知られている。なお、図中、２３Ｂは背板、５Ｂはバンド、６Ｂは基台、７Ｂは排水管、７１Ｂはその排水口、８Ｂはジョイント管、９Ｂはシール材である。
【０００３】
しかしながら、前者のものにあっては、排水口受け口４１Ａが外壁板２１Ａに外観露出していることから、排水口１１Ａとの対面位置を外部から確認しながら少しずつ調整して位置合わせが行えるという作業性に優れた利点を有するものの、後者のもののように、埋め込みタイプの小便器については、排水口１１Ａと排水口受部４１Ａが共に配管ケース２Ａ内部で、かつ小便器の背面部に位置することになり、両者の位置合わせを外部から確認することが殆どできず、さらに、起立姿勢に姿勢変姿しただけでは嵌装作業が完了せず、前記排水フランジ４Ａに対するボルト止め作業が行えなくなって、結局、この様な埋め込みタイプの小便器のジョイント構造としては採用することができないという欠点を有していた。
【０００４】
また、後者のものの水平ジョイント構造は、古くから採用されているものであるが、このものは、排水口１１Ｂを排水口受部４１Ｂに挿入しただけで嵌装作業が完了できるという利点があるものの、排水口１１Ｂと排水口受部４１Ｂとが、配管ケース２Ｂの内部で、かつ小便器１Ｂの底面部に位置するために、前者のものと同様に外部からの位置合わせ確認を行うことができず、そのため隣設する点検口（公報所載符号７）から内部を観察しながらの嵌装作業が強いられ、位置合わせが難しいという欠点を有していた。しかも、小便器１Ｂを起立姿勢に姿勢変姿する際に、支点位置の位置ズレが生じるなど、嵌合方向（上下方向）とは無関係に前後方向へのズレが生じ、排水口と受部との孔位置がズレた状態となり適正な嵌合を更に阻害するの要因も加わって、結局、埋め込みタイプの小便器の施工にあたっては、実公平２−４５３３６号公報に開示された如く、姿勢変姿後に前記外壁面自体を床面間でボルトにより上下調整するか、姿勢変姿によらない載置方式の施工手段によって嵌合作業が行われているのが実状である。
しかし、後者のもののような埋め込みタイプの小便器は、施工後の仕上げが前者のものに比しスッキリとした外観納まりとなることから、埋め込みタイプの小便器であっても、作業性に優れた姿勢変姿による施工手段によって、前者の壁掛けタイプの小便器と同様に適正な嵌合状態とすることのできる小便器ユニットの出現が望まれていた。
【０００５】
加えて、両者共に、小便器の排出口１１Ａ、１１Ｂは、排水フランジ４Ａ、４Ｂを介して、そこに設けられた排水受部４１Ａ、４１Ｂに対して直接的に接合されていたため、部品点数が多く、配管ケース内での配管作業が強いられ、ジョイント構造を複雑なものとしていた。
【０００６】
さらに、後者のもののように、床面に設置された基台６Ｂに設けられた排水フランジ４Ｂと排水管７Ｂとをジョイント管８Ｂを介して連結する構造のものでは、バンド５Ｂによる固定作業を強いられ、また、配管ケース２Ｂの奥行きスペースを大きく取らなければならないという納まり上の欠点がある。
ところで、従来、図７に示すように、卵形の排水管７Ｃの広幅円周面域をジョイント管８Ｃの取付面とし、この取付面に対して定寸長さのジョイント管８Ｃを所定間隔を存して複数配設すると共に、前記排水管７Ｃを排水勾配をもって設置することとの関係で、各ジョイント管８Ｃを、並設された洋式大便器の各排水口に対して水平方向（直角方向）に取り付けしたものが知られている。
しかしながら、このものは、排出口と排水管７Ｃの間隔を幅狭に設定でき、納まりスペースおよび取付作業が容易である利点を有するが、その構造上、水平な排出路を経て排出されるため排水流量が多い大便器用に適しているものの、排水流量の少ない小便器では管詰まりが生じやすく、上記前者と後者の排水口と排水口受部とのジョイント構造にそのまま採用することはできないものであった。
なお、前者のもののジョイント管構造は、排水受部のない硬質塩ビ管を排水管の上面に垂直方向に接合することで行われていた。
【０００７】
【発明が解決しようとする課題】
本発明は、上記の如き問題点を一掃すべく創案されたものであって、小便器、排水管、配管ケースにつき、部品点数の削減や、取付け構造の改良が図られて、これら各部材間におけるセット作業の簡素化や作業効率の向上を行い得て、ユニット全体の施工の簡略化を図ることができる小便器ユニットおよび小便器の排水管構造を提供することを主たる課題とし、具体的には、
姿勢変姿による施工手段を採用したものでありながら、埋め込みタイプの小便器のように排水口と排水口受部とが配管ケースなどの内部に配設されたものであっても、壁掛けタイプの小便器の様に、排水口と排水口受部との対面位置を、可及的に近接せしめた状態で外部より確認しながら位置合わせ調整が行えるようになり、作業効率の向上を図ることができるばかりか、例え姿勢変姿に伴って支点部が前後方向或いは上下方向に位置ズレを生じたとしても、何れの方向の位置ズレによっても嵌合方向に対するものとして作用させることができ、嵌合状態の適正化が図られて、埋め込み式か否かの小便器のタイプや、壁掛け式か載置式かの支持形式に影響されることがなくなり、小便器のセット作業が大幅に簡素化されて、ユニット全体の施工の簡略化を図ることができる小便器ユニットを提供することを課題としている。
また、小便器支持片と受部装着孔とが一体となった配管ケースを提供でき、横フレームへのジョイント管の排水口受部がセットし易く、かつセットされた排水口受部が外部から臨めるようになり、しかも、小便器支持片の存在により、特に、埋め込み式小便器を姿勢変姿して施工する際に、小便器とのセット位置合わせがより効率的に行われ、配管ケース内での配管作業と小便器のセット作業が大幅に簡素化されて、ユニット全体の施工の簡略化を図ることができる小便器ユニットを提供することを課題としている。
また、埋め込み式小便器ユニットの排水管構造でありながら、大便器ユニットの排水管構造と同様の施工方式が採用できるようになり、排水フランジを設ける必要がなく、部品点数の削減が図られると共に、壁掛け式小便器ユニットのように排水管を小便器側に近接して配置できるようになり、配管ケース全体の奥行きスペースを薄く構成することができ、しかも、排水量の少ない小便器であっても、小便器からの排水を管詰まりすることなく適正に排水管へ流すことができ、小便器のセット作業が大幅に簡素化されて、ユニット全体の施工の簡略化を図ることができる小便器の排水管構造を提供することを課題としている。
【０００８】
【課題を解決するための手段】
上記課題を解決するために本発明が採用した技術手段は、壁面板の後面側に給水管、排水管等の所定の配管設備を有し、壁面板の前面側から所定の取付構造体を介して装着される小便器を設置してなる小便器ユニットであって、前記小便器と取付構造体には、夫々相対応する部位に一対の凹凸関係で構成される装着用の係合手段が設けられると共に、前記小便器には、その背面側下部に排水口が斜め下方に向けて設けられる一方、前記取付構造体には、前記排水管への排水口受部を、前記小便器を前記係合手段で係合せしめた傾斜姿勢から起立姿勢に姿勢変姿することで、前記排水口が傾斜状に対面嵌装されるよう斜め上方に向けて設けてあることを特徴とするものである。
また、上記課題を解決するために本発明が採用した技術手段は、壁面板の後面側に給水管、排水管等の所定の配管設備を有し、壁面板の前面側から所定の取付構造体を介して小便器を設置してなる小便器ユニットであって、前記小便器の背面側下部には排水口と前記取付構造体に対する支持脚部が設けられていると共に、前記取付構造体を、壁面板と上面板、およびこれらを取付する複数の縦フレームと上フレームとによって前記配管設備を収納する配管ケースに構成し、前記縦フレーム間の前記排水口の対向部位に横フレームを架設せしめ、該横フレームに、前記排水管への排水口受部が挿入される受部装着孔と、前記支持脚部を介して小便器を装着支持する支持片とを設けたことを特徴とするものである。
また、上記課題を解決するために本発明が採用した技術手段は、並設された複数の小便器の背面側に所定の下り勾配をもって床面上に設置され、それぞれの小便器の排水口と対応する位置でジョイント管を介して排水可能に連結される排水管であって、該排水管を、楕円形または卵形等の縦長形状に形成してその広幅面域が前記排水口側を向くよう立設せしめ、前記ジョイント管の先端側に前記排水口の排水受部を設けると共に、該ジョイント管を、前記水平に並ぶ各排水口と前記排水管勾配との離間変位に対応すべく揺動可能に構成し、前記排水管の上側周面に対して斜め上方に向けて設けたことを特徴とするものである。
【０００９】
【発明の実施の形態】
以下、本発明の実施の形態を好適な実施の形態として例示する小便器ユニットを図面に基づいて詳細に説明する。図面において、１は公衆トイレ等に連設された小便器であって、該小便器１は、その背面側に面落ちさせて膨出形成された背部１０１が、取付構造体としての配管ケース２内に、壁面板２０１に形成された開口小口を覆い隠すよう前面側から埋め込まれて装着されており、配管ケース２内に設けられた給水管３と排水管４のそれぞれに連結されている。
【００１０】
配管ケース２は、小便器１の単位ユニットとして、壁面板２０１と上面板２０２、およびこれらを取付する上フレーム２１０と左右一対の縦フレーム２１１によって断面逆Ｌ字状に形成されており、前記縦フレーム２１１，２１１間の上下に、前記背部１０１が埋め込まれる空間を形成するよう上面視略コ字状の横フレーム２１２、２１３が架設された構成となっていて、躯体の壁面と床面に対してそれぞれアングル材２１４と幅木２１５を介して取り付けられている。
そして、小便器１が複数設けられる場合には、アングル材２１４と幅木２１５の長さを調整し、この単位ユニットを複数連設することで一つの配管ケース２が形成される。
【００１１】
上側横フレーム２１２には、前記背部１０１の上面に設けられた固定部１０２をＵ字ボルト５を介して蝶ナット５０１締めにて固定する固定孔２１２ａが穿設されており、小便器１が装着された際に、小便器１の上面側に前記壁面板２０１の開口によって点検口２０３が形成され、蝶ナット５０１締めによる固定操作が行えるようになっている。２０３ａはその点検口パネルで、該点検口パネル２０３ａは、上面板２０２に形成された取付溝２０２ａと、小便器１の上面のパネル隙間を利用し、所謂倹飩式にて着脱できるよう構成され、施工後のメンテナンスに供される。
【００１２】
下側横フレーム２１３には、前記排水管４のジョイント管４０１に形成されたラッパ状の排水口受部４０２を装着する受部装着孔２１３ａと、該受部装着孔２１３ａを挟んで前記背部１０１の下部に設けられた支持脚部１０４と共に、一対の凹凸関係により係合手段を構成する支持片２１３ｂ、２１３ｂが設けられている。下側横フレーム２１３は、前記背部１０１の下部に斜め下方に向けて設けられた排水口１０３に対して、前記排水口受部４０２が傾斜状に対面して嵌挿されるよう斜め上方に傾いて形成されている。これにより、小便器１は、その支持脚部１０４を支持片２１３ｂに傾斜姿勢で係合せしめた後、起立姿勢に姿勢変姿することで、前記排水口１０３が排水口受部４０２に嵌挿され、前記蝶ナット５０１締め操作により配管ケース２に取り付けられる。
【００１３】
また、前記支持片２１３ｂは、全体が略Ｌ字状に形成されており、小便器１を載置する際、その支持脚部１０４を支持片２１３ｂの支持面へ係合し易くするため、起立片の先端部に傾斜する案内片２１３ｃが設けられている。そして、支持片２１３ｂの起立片は、支持脚部１０４を躯体の壁側に僅かに弾圧するよう構成されている。
なお、前記支持片２１３ｂ、２１３ｂは、受部装着孔２１３ａ挟んで２点支持する態様となっているが、これに限定されるものでなく、受部装着孔２１３ａの下面域で部分的、ライン面的に支持させるようにしても良い。
【００１４】
一方、前記排水管４は、卵形の縦長形状を有しており、その広幅面域が前記排水口１０３側を向くよう逆さ状に立設させ、所定の下り勾配をもって床面上に設置されており、ジョイント管４０１は、並設された小便器１の排水口１０３と対応する位置で、先端部の排水口受部４０２が前記受部装着孔２１３ａに傾斜状に対面するよう、排水管４の上側周面において斜め上方に向けて設けられている。また、ジョイント管４０１は、ゴム質材にて形成されており、先端側が揺動可能となっていて、前記水平に並ぶ各排水口１０３、１０３・・・と前記排水管勾配との離間変位に対応できるように構成され、前記排水口受部４０２を潰して前記受部装着孔２１３ａに挿入し復元させることで前記下側横フレーム２１３に取り付けられるようになっている。
【００１５】
６は前記排水口１０３に取り付けられるシール押さえであって、該シール押さえ６は、全体がハット型形状を成し、前記排水口１０３の開孔よりも僅かに大きな孔が中央に設けられており、そのつば部によって前記排水口受部４０２が覆われ、外周面に充填されたシール材６０１を排水口受部４０２間に閉じこめて水密状態が保持されるようになっている。
【００１６】
叙述の如く構成された本発明の実施の形態において、埋め込みタイプの小便器１を前記配管ケース２に装着するには、まず、小便器１を、傾斜姿勢で前記支持脚部１０４を前記支持片２１３ｂに係合せしめ、排水口１０３と排水口受部４０２との左右位置合わせを行う。この位置合わせ調整は、支持脚部１０４の外部側に形成された凹部と案内片２１３ｃが形成された起立片との係合関係において予め位置合わせされているので、左右±１cm程度の微調整作業となる。
次いで、前記係合手段によって係合せしめた傾斜姿勢から起立姿勢に姿勢変姿することで排水口１０３と排水口受部４０２との嵌装作業が行われるのであるが、その際、小便器１は、姿勢変姿に追随して前記支持片２１３ｂ上において、図３、図５に示す如く前記支持脚部１０４の支点部となる角部で位置ズレを生じる。すなわち、前記支点部は、前記案内片２１３ｃ上に載置されたＦ１地点から支持片２１３ｂ面上に移動したＦ２地点、更に起立姿勢時のＦ３地点へと移動する。この移動に伴う支点部の位置ズレは、線状支持から面状支持へ移行する際に、一対の凹凸関係で構成される係合手段の殆どの態様において生じるものである。Ｆ１地点からＦ２地点への移動は、排水口１０３と排水口受部４０２との嵌装状態へ直接的に作用するものではないが、Ｆ２地点からＦ３地点への移動は、前後方向の位置ズレと共に、排水口受部４０２が回転する上下方向の位置ズレであって、特に、僅かな移動であっても、排水口受部４０２の移動量は大きなものとなって作用し、これら位置ズレに追随して排水口１０３と排水口受部４０２との嵌装状態も変移することになる。
【００１７】
しかしながら、小便器１には、その背面側下部に排水口１０３が斜め下方に向けて設けられており、配管ケース２には、小便器１を起立姿勢に姿勢変姿することで、前記排水管４への排水口受部４０２を、前記排水口１０３が傾斜状に対面嵌装されるよう斜め上方に向けて設けられている。
このため、姿勢変姿による施工手段を採用したものでありながら、埋め込みタイプの小便器１のように排水口１０３と排水口受部４０２とが配管ケース２の内部に配設されたものであっても、所謂壁掛けタイプの小便器１Ａの様に、排水口１０３と排水口受部４０２との対面位置を、可及的に近接せしめた状態まで外部より確認しながら左右方向の位置合わせ調整が行えるようになり、作業効率の向上を図ることができる。しかも、従来のように各小便器１の隣に設けられていた大きな点検口を不要なものとでき、小便器１の上部に設けた小さなものとでき、配管ケースを簡素な構造とし得て製造コストの軽減を図ることができる。
さらに、例え姿勢変姿に伴って支点部が前後方向或いは上下の回転方向に位置ズレを生じたとしても、何れの方向の位置ズレによっても嵌合方向に対するものとして作用させることができる。つまり、姿勢変姿に伴う位置ズレは勿論、加えて前記蝶ナット５０１締めによる小便器１の固定操作や壁面板との取り合いなど、最終的な建付け調整したときに、前記支持脚部１０４と前記支持片２１３ｂの突出長さとのクリアランスＷにおいて、小便器１自体が前後方向へ微動したとしても嵌合方向に対するものとして作用させることができる。したがって、嵌合状態の適正化が図られて、埋め込み式か否かの小便器のタイプや、壁掛け式か載置式かの支持形式に影響されることのない取付作業が行えるなどの利点がある。
なお、本実施例では、取付構造体として配管ケースを例示したが、これに限定されるものでなく、ケースを介さずに躯体の壁面を取付構造体としても良く、その際は壁面板が躯体の壁面となることは言うまでもない。
【００１８】
これにより、姿勢変姿に追随して嵌合操作が直ちに完了することになるが、排水口１０３の周面に、予め水密手段としてのシール押さえ６とシール材６０１を設けることで、前記対面嵌装に追随して排水口１０３と排水口受部４０２との水密接合をも完了することができる。
また、前記支持脚部１０４と支持片２１３ｂとによる係合手段は、前記排水口１０３と排水口受部４０２よりも下部側に設けられているため、排水口１０３と排水口受部４０２との位置合わせが確認し易くなっている。つまり、排水口１０３と排水口受部４０２とが前記係合手段よりも離れた上部側に位置する方が、両者の対面位置を、可及的に近接せしめた状態で外部より確認するのに都合が良く、その様な配置構成とすることができる。
また、前記係合手段は、前記小便器１を配管ケース２で支持するにあたり、前記支持片２１３ｂに対して、小便器１の傾斜姿勢では、前記支持脚部１０４の角部で線状に係合し、起立姿勢では面状に係合して支持すべく構成されているので、姿勢変姿に伴う支点部の位置ズレをバラツキのない規則正しいものとでき、取付作業が容易に行われると共に、姿勢変姿後においては安定した支持が行えるという利点がある。
【００１９】
さらに、前記配管ケース２に設けられた下側横フレーム２１３には、排水口受部４０２が挿入される受部装着孔２１３ａと支持片２１３ｂとが設けられているため、支持片２１３ｂと受部装着孔２１３ａとが一体となった配管ケース２を提供でき、配管ケース２内においては、下側横フレーム２１３へのジョイント管４０１の排水口受部４０２がセットし易く、また、配管ケース２の外側においては、前記セットされた排水口受部４０２が外部から臨め、かつ、前記支持片２１３ｂの存在により、特に、本実施例の埋め込み式小便器１を姿勢変姿して施工する際に、小便器１の支持脚部１０４との位置合わせがより効率的に行われ、配管ケース内での配管作業と小便器のセット作業が大幅に簡素化され、ユニット全体の施工の簡略化を図ることができる。
また、支持片２１３ｂ、２１３ｂは、該受部装着孔２１３ａを挟んで設けられており、下側横フレーム２１３を、斜め上方に向けて前記支持片２１３ｂよりも後方に設けてあるため、支持片２１３ｂは、受部装着孔２１３ａよりも前側となり小便器１を支持し易いことは勿論、受部装着孔２１３ａと支持片２１３ｂの配置関係を一体的なものとして制作誤差のないものを提供でき、位置合わせや嵌合状態の適正化に寄与することができる。しかも、排水管４にゴム質材にて形成された複数のジョイント管４０１が設けられていても、それらの排水口受部４０２を直接的かつ容易に受部装着孔２１３ａにセットできるようになり、熟練の不要な作業とすることができる。
【００２０】
さらにまた、前記ジョイント管４０１は、その先端側の排水受部４０２が受部装着孔２１３ａと対面させて、前記水平に並ぶ各排水口１０３（受部装着孔２１３ａ）と排水管４の排水管勾配との離間変位に対応すべく揺動可能に構成されており、かつ前記排水管４の上側周面に対して斜め上方に向けて設けられているため、埋め込み式小便器ユニットの排水管構造でありながら、大便器ユニットの排水管構造と同様の施工方式が採用できるようになり、したかって、従来使用されていた排水フランジが一切不要となり、部品点数の削減が図られると共に、壁掛け式小便器ユニットのように排水管４を小便器側に近接して配置できるようになり、配管ケース２全体の奥行きスペースを薄く構成することができ、しかも、排水量の少ない小便器１であっても、小便器１からの排水を管詰まりすることなく適正に排水管４へ流すことができる。
なお、本発明の排水管は、壁掛け式小便器ユニット用として使用して良いことは勿論、大便器用として使用しても一向に差し支えが無く、また、その形状は、卵形に限定されず、楕円形等縦横長さを異にする真円管を除く円筒状ものであっても良い。
【００２１】
【発明の効果】
本発明は、壁面板２０１の後面側に給水管３、排水管４等の所定の配管設備を有し、壁面板２０１の前面側から所定の取付構造体２を介して装着される小便器１を設置してなる小便器ユニットであって、前記小便器１と取付構造体２には、夫々相対応する部位に一対の凹凸関係で構成される装着用の係合手段が設けられると共に、前記小便器１には、その背面側下部に排水口１０３が斜め下方に向けて設けられる一方、前記取付構造体２には、前記排水管４への排水口受部４０２を、前記小便器１を前記係合手段で係合せしめた傾斜姿勢から起立姿勢に姿勢変姿することで、前記排水口１０３が傾斜状に対面嵌装されるよう斜め上方に向けて設けてあることことにより、姿勢変姿による施工手段を採用したものでありながら、埋め込みタイプの小便器１のように排水口１０３と排水口受部４０２とが配管ケース２などの内部に配設されたものであっても、壁掛けタイプの小便器の様に、排水口１０３と排水口受部４０２との対面位置を、可及的に近接せしめた状態で外部より確認しながら位置合わせ調整が行えるようになり、作業効率の向上を図ることができるばかりか、例え姿勢変姿に伴って支点部が前後方向或いは上下方向に位置ズレを生じたとしても、何れの方向の位置ズレによっても嵌合方向に対するものとして作用させることができ、嵌合状態の適正化が図られて、埋め込み式か否かの小便器のタイプや、壁掛け式か載置式かの支持形式に影響されることがなくなり、小便器のセット作業が大幅に簡素化されて、ユニット全体の施工の簡略化を図ることができる。
【００２２】
また、本発明は、壁面板の後面側に給水管３、排水管４等の所定の配管設備を有し、壁面板の前面側から所定の取付構造体を介して小便器１を設置してなる小便器ユニットであって、前記小便器１の背面側下部には排水口１０３と前記取付構造体に対する支持脚部１０４が設けられていると共に、前記取付構造体を、壁面板２０１と上面板２０２、およびこれらを取付する複数の縦フレーム２１１と上フレーム２１０とによって前記配管設備を収納する配管ケース２に構成し、前記縦フレーム２１１、２１１間の前記排水口１０３の対向部位に横フレーム２１３を架設せしめ、該横フレーム２１３に、前記排水管４への排水口受部４０２が挿入される受部装着孔２１３ａと、前記支持脚部１０４を介して小便器１を装着支持する支持片２１３ｂとを設けたことにより、支持片２１３ｂと受部装着孔２１３ａとが一体となった配管ケース２を提供でき、配管ケース２内においては、下側横フレーム２１３へのジョイント管４０１の排水口受部４０２がセットし易く、また、配管ケース２の外側においては、前記セットされた排水口受部４０２が外部から臨め、かつ、前記支持片２１３ｂの存在により、特に、本実施例の埋め込み式小便器１を姿勢変姿して施工する際に、小便器１の支持脚部１０４との位置合わせがより効率的に行われ、配管ケース２内での配管作業と小便器のセット作業が大幅に簡素化され、ユニット全体の施工の簡略化を図ることができる。
【００２３】
また、本発明は、並設された複数の小便器１、１・・・の背面側に所定の下り勾配をもって床面上に設置され、それぞれの小便器１の排水口１０３と対応する位置でジョイント管４０１を介して排水可能に連結される排水管４であって、該排水管４を、楕円形または卵形等の縦長形状に形成してその広幅面域が前記排水口１０３側を向くよう立設せしめ、前記ジョイント管４０１の先端側に前記排水口１０３の排水受部４０２を設けると共に、該ジョイント管４０１を、前記水平に並ぶ各排水口１０３と前記排水管勾配との離間変位に対応すべく揺動可能に構成し、前記排水管４の上側周面に対して斜め上方に向けて設けたことにより、ジョイント管４０１は、その先端側の排水受部４０２が受部装着孔２１３ａと対面させて、前記水平に並ぶ各排水口１０３（受部装着孔２１３ａ）と排水管４の排水管勾配との離間変位に対応すべく揺動可能に構成されており、かつ前記排水管４の上側周面に対して斜め上方に向けて設けられているため、埋め込み式小便器ユニットの排水管構造でありながら、大便器ユニットの排水管構造と同様の施工方式が採用できるようになり、したかって、従来使用されていた排水フランジが一切不要となり、部品点数の削減が図られると共に、壁掛け式小便器ユニットのように排水管４を小便器側に近接して配置できるようになり、配管ケース２全体の奥行きスペースを薄く構成することができ、しかも、排水量の少ない小便器１であっても、小便器１からの排水を管詰まりすることなく適正に排水管４へ流すことができ、小便器のセット作業が大幅に簡素化されて、ユニット全体の施工の簡略化を図ることができる。
【図面の簡単な説明】
【図１】  小便器ユニットの納まり状態を示す斜視図。
【図２】  配管ケースのフレーム構造と小便器の組付状態を示す分解斜視図。
【図３】  小便器ユニットの納まり状態と取付状態を示す断面図。
【図４】  排水口と排水受部の部分詳細断面図。
【図５】  姿勢変姿による支持構造を示す部分断面説明図。
【図６】  従来の小便器ユニットの取付説明図。
【図７】  従来の大便器ユニットの排水管構造を示す断面図。
【符号の説明】
１        小便器
１０１    背部
１０２    固定部
１０３    排水口
１０４    支持脚部
２        配管ケース
２０１    壁面板
２０２    上面板
２０２ａ  取付溝
２０３    点検口
２０３ａ  点検口パネル
２１０    上フレーム
２１１    縦フレーム
２１２    上側横フレーム
２１２ａ  固定孔
２１３    下側横フレーム
２１３ａ  受部装着孔
２１３ｂ  支持片
２１３ｃ  案内片
２１４    アングル材
２１５    幅木
３        給水管
４        排水管
４０１    ジョイント管
４０２    排水口受部
５        Ｕ字ボルト
５０１    蝶ナット
６        シール押さえ
６０１    シール材
Ｆ        支点部位置
Ｗ        クリアランス
【図１】
0004341159.tif 000002
【図２】
0004341159.tif 000003
【図３】
0004341159.tif 000004
【図４】
0004341159.tif 000005
【図５】
0004341159.tif 000006
【図６】
0004341159.tif 000007
【図７】
0004341159.tif 000008